(57)【特許請求の範囲】
【請求項１】
袋本体の前後壁に、その上端縁から連設されたまち部を備え、該まち部の両端縁が該前後壁の側縁部において該前後壁とそれぞれ接合されて上部サイドシール部がそれぞれ形成され、更に該前後壁の側縁部同士が直接接合されて該上部サイドシール部に連設した下部サイドシール部がそれぞれ形成された包装用袋において、
上記下部サイドシール部の接合幅を上記上部サイドシール部の接合幅よりも大きくすると共に上記下部サイドシール部の内側縁が上記上部サイドシール部の内側縁よりも内方に位置するようにし、
被包装物の充填状態下で上記まち部が一平面となる領域の両隅部を底辺とし、上記下部サイドシール部の上端内側隅部を頂点とする三角形状部の内方において、上記まち部両半分の端部それぞれと、それに対応する上記前後壁の内面とが、上記三角形状部の斜辺に沿って接合されている包装用袋。
【請求項２】
上記下部サイドシール部の接合幅を、上記上部サイドシール部の接合幅よりも１．５〜１０倍大きくした請求項１記載の包装用袋。
【発明の詳細な説明】
【０００１】
【発明の属する技術分野】
本発明は、形状変化を有する物品の充填に好適に用いられる包装用袋に関し、側面部にひきつりが生じず、且つ引張り応力によるサイドシール部の剥離が生じ難い包装用袋に関するものである。
【０００２】
【従来の技術及び発明が解決しようとする課題】
紙オムツ、生理用品等は、複数個が圧縮されて形状変化した状態で包装用袋に収納されて流通される。形状変化を有する物品の包装用袋として、シートの各部を熱融着して六面体形状とした熱可塑性合成樹脂製の包装用袋が知られている。しかし、このような包装用袋においては、圧縮されて形状変化した状態で充填された被包装物の復元反発力により、サイドシール部に引張り力が作用し、これによりシート同士が剥離し易い。これを防止するために、▲１▼包装用袋の両側面部にそれぞれ一対のシール部を４５°の角度で逆ハ字状に設けたり、▲２▼特開平９−１４２４８３号公報記載のように包装用袋の側面部に、天面部の隅部を結ぶ辺を底辺とし、まち部と前後壁とのシール部下端を頂角とした三角形状部を想定した場合に、該三角形状部の外側にシール部を設けることが提案されている。
【０００３】
しかし、▲１▼の場合、４５°の上記シール部では充分な強度が得られず、▲２▼の場合、上記シール部が応力を受けすぎて、側面部がひきつってしまい、包装用袋の外観が好ましいものでなくなるという問題があった。
【０００４】
従って、本発明は、側面部にひきつりが生じず、且つ引張り応力によるサイドシール部の剥離が生じ難い包装用袋を提供することを目的とする。
【０００５】
【課題を解決するための手段】
本発明は、袋本体の前後壁に、その上端縁から連設されたまち部を備え、該まち部の両端縁が該前後壁の側縁部において該前後壁とそれぞれ接合されて上部サイドシール部がそれぞれ形成され、更に該前後壁の側縁部同士が直接接合されて該上部サイドシール部に連設した下部サイドシール部がそれぞれ形成された包装用袋において、
上記下部サイドシール部の接合幅を上記上部サイドシール部の接合幅よりも大きくすると共に上記下部サイドシール部の内側縁が上記上部サイドシール部の内側縁よりも内方に位置するようにし、
被包装物の充填状態下で上記まち部が一平面となる領域の両隅部を底辺とし、上記下部サイドシール部の上端内側隅部を頂点とする三角形状部の内方において、上記まち部両半分の端部それぞれと、それに対応する上記前後壁の内面とが、上記三角形状部の斜辺に沿って接合されている包装用袋を提供することにより上記目的を達成したものである。
【０００６】
【発明の実施の形態】
以下、本発明の包装用袋をその好ましい実施形態に基づき図面を参照しながら説明する。
図１には本実施形態の包装用袋に被包装物が充填される前の状態を示す斜視図が示されており、この包装用袋１００は、袋本体の前後壁ｆ，ｒに、その上端縁ｆ’，ｒ’から連設されたまち部ｇを備えている。まち部ｇは、袋の内方にＶ字状に谷折りされて形成されている。まち部ｇの両端縁ｇ’，ｇ’は、前後壁ｆ，ｒの左右両側縁部７，７において前後壁ｆ，ｒとそれぞれ接合されており、これによって上部サイドシール部７ａ，７ａがそれぞれ形成される。更に、前後壁ｆ，ｒの側縁部同士が直接接合されて、上部サイドシール部７ａ，７ａにそれぞれ連設した下部サイドシール部７ｂ，７ｂがそれぞれ形成される。その結果、包装用袋１００は、その上部がまち部ｇによって閉塞され、また両側部が上下部サイドシール部７ａ，７ｂで接合されて、下部に開口部を有する構造となる。尚、図１においては、理解の助けとするため、一方の上部サイドシール部７ａ及びそれに連設する下部サイドシール部７ｂの一部を、接合前の状態で示してある。
【０００７】
図２には、図１に示す包装用袋１００を製造するための長方形状シート１０の平面図が示されており、この長方形状シート１０は、中央部に天面形成部１、天面形成部１の両側に正面形成部２及び背面形成部３がそれぞれ配され、また天面形成部１、正面形成部２及び背面形成部３それぞれに連設する第１側面形成部４１及び第２側面形成部４２がそれぞれ配され、
天面形成部１と正面形成部２との間に第１起立周縁形成部５１が配されると共に、天面形成部１と背面形成部３との間に第２起立周縁形成部５２が配され、
正面形成部２に連設して第１底面形成部６１が配されると共に、背面形成部３に連設して第２底面形成部６２が配されて形成されている。これらは、上記シート１０から本実施形態の包装用袋１００を組み立て、被包装物を充填して包装形態となした場合に、該包装用袋のどの部分を構成するかを示すものである。
【０００８】
図３には、図１に示す包装用袋１００の一部省略正面図が示されている。包装用袋１００の左右両側縁部は、上下部サイドシール部７ａ，７ｂによって封止されていることは上述の通りである。詳しくは、上下部サイドシール部７ａ、７ｂは、図２に示すシート１０を図１に示すように折り畳み、該シート１０における第１側面形成部４１の端縁部４１’（図２参照）、及び第２側面形成部４２の端縁部４２’（図２参照）をそれぞれ接合することにより形成されている。その結果、上部サイドシール部７ａは合計４枚のシートが重合されて接合されている。一方、下部サイドシール部７ｂは合計２枚のシートが重合されて接合されている。
【０００９】
また、図２に示す第１起立周縁形成部５１の側縁部５１ｂ，５１ｂ同士及び第２起立周縁形成部５２の５２ｂ，５２ｂ同士が、上記シート１０の裏面側で互いに当接されて接合され、接合部９（以下、周縁接合部という）を形成し、この接合部が、図３に示すように起立周縁部Ｋを形成する。尚、本明細書において、シートの裏面とは、形成された包装用袋の内側に位置する面をいう。
【００１０】
このようにして、上部にまち部を有し、左右両側縁部が接合され、下部が開放状態の包装用袋１００が得られる。そして、例えば開放された下部から、整列され且つ圧縮されて形状変化した状態の使い捨ておむつ等の被包装物が充填される。被包装物を充填して下部を閉じた状態の包装形態は図４に示される通りとなり、まち部ｇが一平面となることで形成される天面部Ｕ、正面部Ｆ、背面部、一対の側面部Ｓ，Ｓ’、及び底面部からなる六面体形状となる。更に、天面部Ｕの周縁に、第１及び第２起立周縁形成部５１，５２により形成された起立周縁部Ｋが上方に起立した状態で形成される。この起立周縁部Ｋには、帯状フィルムの両端部が熱融着されて一対の吊手部１１，１１が取り付けられる。尚、この包装形態においては、被包装物は、包装用袋の側面部Ｓ，Ｓ’同士間で挟圧される向きに充填されている。
【００１１】
而して、本実施形態の包装用袋１０においては、図３及び図４に示すように、下部サイドシール部７ｂの接合幅が、上部サイドシール部７ａの接合幅よりも１．５〜１０倍、特に１．５〜２倍大きくなされている。更に、下部サイドシール部７ｂの内側縁７ｂi が上部サイドシール部の内側縁７ａi よりも内方に位置するようにシールが行われている。このような接合を行うことによって、包装用袋１０内に被包装物を圧縮させて形状変化させた状態で充填して包装形態となしても、被包装物の復元反発力によって発生する引張り力は、幅広にシールされた下部サイドシール部７ｂで十分に受け止められるので、シート同士の剥離が効果的に防止される。また、ひきつり等が生じないので、包装形態の外観が良好となる。
【００１２】
例えば、上部サイドシール部７ａの接合幅が３〜５ｍｍ程度である場合、下部サイドシール部７ｂの接合幅は４．５〜１５ｍｍ、特に５〜１０ｍｍ程度であることが好ましい。
【００１３】
また、図３及び図４に示すように、本実施形態の包装用袋においては、被包装物の充填状態下でまち部ｇが一平面となる領域の両隅部を底辺とし、下部サイドシール部７ｂの上端内側隅部Ｐ３を頂点とする三角形状部の内方において、まち部両半分の端部それぞれと、それに対応する前後壁ｆ，ｒの内面とが、上記三角形状部の斜辺に沿って接合されて、接合部８が形成されている。
【００１４】
詳細には、図２示すシート１０における３つの第１側面形成部４１のうち、中央の第１側面形成部と、その両側の第１側面形成部とがシート１０の裏面同士を当接させてそれぞれ接合され、一対の接合部８，８が形成される。中央の第１側面形成部は、まち部両半分の一端部に相当するものである。同様に、図２示すシート１０における３つの第２側面形成部４２のうち、中央の第２側面形成部と、その両側の第２側面形成部とがシート１０の裏面同士を当接させてそれぞれ接合され、一対の接合部８，８が形成される。中央の第２側面形成部は、まち部両半分の他端部に相当するものである。このようにして４つのシール部８，８・・が形成される。そして、包装用袋１００に被包装物が充填された包装形態においては、図４に示すように、側面部Ｓ，Ｓ’に、上記一対の接合部８，８がＶ字状に位置するようになされている。このような接合部８を形成することによって、下部サイドシール部の接合幅を上部サイドシール部の接合幅よりも大きくなしたことと相俟って、包装用袋側部の剥離が一層効果的に防止され、また包装形態の外観が一層良好となる。尚、図３には、袋の前壁ｆ側からみた接合部８，８のみが示されている。
【００１５】
接合部８について更に説明すると、図４に示す側面部Ｓにおける一対の接合部８，８は、図５に示すように、上下部サイドシール部７ａ，７ｂに関して対称の位置に対称の形態として設けられ、各接合部８，８それぞれは、第１側面部Ｓ上に、天面部Ｕの隅部Ｐ１，Ｐ２を結ぶ辺を底辺とし、下部サイドシール部７ｂの上端内側隅部Ｐ３を頂点とする三角形状部を想定した場合に、該三角形状部の内側に、且つ該三角形状部の斜辺Ｐ１Ｐ３，Ｐ２Ｐ３に沿って設けられている。尚、以下の説明では、上下部サイドシール部７ａ，７ｂを総称して単にサイドシール部という。このように、一対の接合部８，８を設けることにより、これらが上下部サイドシール部７ａ，７ｂと共同して包装形態の袋にしわを発生させず、また、まち部ｇを保形する機能を発揮する。
【００１６】
図５に示すように、各接合部８，８のサイドシール部側の端部８ａ，８ａは、サイドシール部から離間している。端部８ａ，８ａそれぞれとサイドシール部との間の距離は、１〜２０ｍｍ、特に２〜１０ｍｍであることが好ましい。このようにすることで、従来の包装用袋のように接合部８とサイドシール部とが重なってフィルムの一部が薄くなり、そこから破断が起こるといった不具合が生じ難く、また引張り応力によるサイドシール部の剥離も生じ難い。
【００１７】
接合部８，８それぞれにおける端部８ａ，８ａから５〜５０ｍｍ外方の部分８Ａ，８Ａは、徐々にサイドシール部に対して直交する角度に近づく曲線とされている。このようにすることで、引張り応力の分散が局所的に起こることが効果的に防止され、しわが発生し難くなり、また引張り応力によるサイドシール部の剥離も生じ難い。
【００１８】
接合部８，８の上記端部８ａ，８ａとは反対側の端部８ｂ，８ｂは、周縁接合部９から離間している。また、接合部８，８における上記曲線部以外は、上記三角形状部の斜辺に略平行な直線部８Ｂ，８Ｂとなっている。尚、図２には、側面部Ｓ，Ｓ’にそれぞれ形成される接合部８，８・・を形成するシール位置を８として示してある。
【００１９】
尚、上記の接合部８に関する説明は、一方の側面部Ｓにおける接合部８，８に関するものであるが、他方の側面部Ｓ’における接合部８，８についても、その形態、設けられる位置等について同様である。
【００２０】
本実施形態の包装用袋を構成するシート１０は、熱可塑性樹脂、例えばポリエチレンやポリエステル等の材料から形成されている。また、シート１０の表面は、印刷適性等を向上させる表面処理がなされてもよい。シート１０の接合には、熱融着による接合、接着剤による接合等の各種接合方法を用い得るが、生産性や製造費等の点から熱融着による接合が好ましく用いられる。
【００２１】
本発明は、上述の実施形態に限定されず、適宜変更可能である。例えば、本発明の包装用袋は、使い捨ておむつや生理用ナプキン等の包装の他、圧縮・形状変化の可能な各種物品の包装に用いることができる。充填される物品の形態や充填する際の物品の整列の仕方等に応じて、包装用袋各部の形態や寸法等は、適宜に決定することができる。
【００２２】
【発明の効果】
本発明によれば、側面部にひきつりが生じず、且つ引張り応力によるサイドシール部の剥離が生じ難い包装用袋を提供することができる。
【図面の簡単な説明】
【図１】本発明の一実施形態である包装用袋に被包装物が充填される前の状態を示す斜視図である。
【図２】本発明の一実施形態である包装用袋を製造するためのシートを示す平面図である。
【図３】本発明の一実施形態である包装用袋を一部省略して示す正面図である。
【図４】本発明の一実施形態である包装用袋に被包装物を充填して形成された包装形態を示す概略斜視図である。
【図５】図４の包装形態の要部を示す側面図である。
【符号の説明】
７ａ  上部サイドシール部
７ｂ  下部サイドシール部
８    接合部
９    周縁接合部
１０  シート
１１  吊持部
１２  斜辺
４１  第１側面形成部
４２  第２側面形成部
１００  包装用袋
ｆ    前壁
ｒ    後壁
ｇ    まち部
【図１】
0003871454.tif 000002
【図２】
0003871454.tif 000003
【図３】
0003871454.tif 000004
【図４】
0003871454.tif 000005
【図５】
0003871454.tif 000006